(57)【要約】【課題】新規な玩具を提供する。【解決手段】複数のピースを含む玩具であって、前記ピースのそれぞれは、概略長方形であり、可撓性を有するカード本体と、前記カード本体の第１面における１つの頂点およびこれと対角線上にある他の頂点の近傍に設けられたオス部と、前記カード本体の第２面における、他の２つの頂点の近傍に設けられたメス部と、を備え、１つの前記ピースのメス部に対して、前記第２面側からのみ他のピースのオス部を着脱可能に挿入できる、玩具が提供される。【選択図】図１Ａ
2019058443.tif 000002
【特許請求の範囲】
【請求項１】
複数のピースを含む玩具であって、前記ピースのそれぞれは、
概略長方形であり、可撓性を有するカード本体と、
前記カード本体の第１面における１つの頂点およびこれと対角線上にある他の頂点の近傍に設けられたオス部と、
前記カード本体の第２面における、他の２つの頂点の近傍に設けられたメス部と、を備え、
１つの前記ピースのメス部に対して、前記第２面側からのみ他のピースのオス部を着脱可能に挿入できる、玩具。
【請求項２】
当該玩具は少なくとも２種類の前記ピースを含み、
第１種類のピースは、前記第１面側から見て右上および左下の頂点の近傍に前記オス部が設けられ、
第２種類のピースは、前記第１面側から見て左上および右下の頂点の近傍に前記オス部が設けられる、請求項１に記載の玩具。
【請求項３】
前記第２面において前記オス部と対向する位置に第１蓋部が設けられ、
前記第１面において前記メス部と対向する位置に第２蓋部が設けられる、請求項１または２に記載の玩具。
【請求項４】
前記カード本体の４つの頂点の近傍には孔が設けられ、
前記オス部または前記第１蓋部の一部が前記孔を貫通して前記オス部と前記第１蓋部とが一体化されており、
前記メス部または前記第２蓋部の一部が前記孔を貫通して前記メス部と前記第２蓋部とが一体化されている、請求項３に記載の玩具。
【請求項５】
前記第１蓋部と前記第２蓋部の外観が共通している、請求項３または４に記載の玩具。
【請求項６】
前記オス部および前記メス部が設けられた前記カード本体には、視認可能な開口がない、請求項１乃至５のいずれかに記載の玩具。
【請求項７】
複数のピースを含む玩具であって、前記ピースのそれぞれは、
可撓性を有するカード本体と、
前記カード本体の第１面に設けられたオス部と、
前記カード本体の第２面に設けられたメス部と、を備え、
１つの前記ピースのメス部に対して、前記第２面側からのみ他のピースのオス部を着脱可能に挿入できる、玩具。
【発明の詳細な説明】
【技術分野】
【０００１】
本発明は、複数のピースから構成される玩具に関する。
【背景技術】
【０００２】
従来からいくつかの組立玩具が提案されている（特許文献１〜３）。
【先行技術文献】
【特許文献】
【０００３】
【特許文献１】特許第４３７８６６１号公報
【特許文献２】実開昭５６−９７６９６号公報
【特許文献３】実公昭３３−００８９４９号公報
【発明の概要】
【発明が解決しようとする課題】
【０００４】
本発明の課題は、新規な玩具を提供することである。
【課題を解決するための手段】
【０００５】
本発明の一態様によれば、複数のピースを含む玩具であって、前記ピースのそれぞれは、概略長方形であり、可撓性を有するカード本体と、前記カード本体の第１面における１つの頂点およびこれと対角線上にある他の頂点の近傍に設けられたオス部と、前記カード本体の第２面における、他の２つの頂点の近傍に設けられたメス部と、を備え、１つの前記ピースのメス部に対して、前記第２面側からのみ他のピースのオス部を着脱可能に挿入できる、玩具が提供される。
【０００６】
カード本体にオス部およびメス部が設けられ、かつ、カード本体が可撓性を有するので、複数のピースを用いて様々な形状を組み立てられるという、新規な玩具が提供される。
【０００７】
当該玩具は少なくとも２種類の前記ピースを含み、第１種類のピースは、前記第１面側から見て右上および左下の頂点の近傍に前記オス部が設けられ、第２種類のピースは、前記第１面側から見て左上および右下の頂点の近傍に前記オス部が設けられるのが望ましい。
このような２種類のピースがあることで、組み立てられた作品の外観が美しくなる。
【０００８】
前記第２面において前記オス部と対向する位置に第１蓋部が設けられ、前記第１面において前記メス部と対向する位置に第２蓋部が設けられるのが望ましい。
具体的には、前記カード本体の４つの頂点の近傍には孔が設けられ、前記オス部または前記第１蓋部の一部が前記孔を貫通して前記オス部と前記第１蓋部とが一体化されており、前記メス部または前記第２蓋部の一部が前記孔を貫通して前記メス部と前記第２蓋部とが一体化されていてもよい。
オス部と対向して第１蓋部を設け、メス部と対向して第２蓋部を設けることで、ピースの強度が増す。
【０００９】
前記第１蓋部と前記第２蓋部の外観が共通しているのが望ましい。
これにより、組み立てられた作品の外観が美しくなる。
【００１０】
前記オス部および前記メス部が設けられた前記カード本体には、視認可能な開口がなくてもよい。
【００１１】
また、本発明の別の態様によれば、複数のピースを含む玩具であって、前記ピースのそれぞれは、可撓性を有するカード本体と、前記カード本体の第１面に設けられたオス部と、前記カード本体の第２面に設けられたメス部と、を備え、１つの前記ピースのメス部に対して、前記第２面側からのみ他のピースのオス部を着脱可能に挿入できる、玩具が提供される。
【発明の効果】
【００１２】
新規な玩具が提供される。
【図面の簡単な説明】
【００１３】
【図１Ａ】玩具における１つの種類のピース１の正面図。
【図１Ｂ】玩具における１つの種類のピース１の背面図。
【図１Ｃ】玩具における１つの種類のピース１の平面図。
【図１Ｄ】玩具における１つの種類のピース１の底面図。
【図１Ｅ】玩具における１つの種類のピース１の左側面図。
【図１Ｆ】玩具における１つの種類のピース１の右側面図。
【図１Ｇ】図１のＡ−Ａ端面図。
【図２Ａ】ピース１の正面図。
【図２Ｂ】ピース１の背面図。
【図３Ａ】玩具における他の種類のピース１の正面図。
【図３Ｂ】玩具における他の種類のピース１の背面図。
【図３Ｃ】玩具における他の種類のピース１の平面図。
【図３Ｄ】玩具における他の種類のピース１の底面図。
【図３Ｅ】玩具における他の種類のピース１の左側面図。
【図３Ｆ】玩具における他の種類のピース１の右側面図。
【図４Ａ】オス部１２ｂおよびメス部１３ｂの拡大断面図。
【図４Ｂ】オス部１２ｂおよびメス部１３ｂの拡大断面図。
【図５Ａ】ピース１，２を組み合わせてできる作品例を示す図。
【図５Ｂ】ピース１，２を組み合わせてできる作品例を示す図。
【図６Ａ】玩具における他の種類のピース１の正面図。
【図６Ｂ】玩具における他の種類のピース１の背面図。
【図６Ｃ】玩具における他の種類のピース１の平面図。
【図６Ｄ】玩具における他の種類のピース１の底面図。
【図６Ｅ】玩具における他の種類のピース１の左側面図。
【図６Ｆ】玩具における他の種類のピース１の右側面図。
【図７Ａ】第１変形例に係る玩具における１つの種類のピース１の正面図。
【図７Ｂ】第１変形例に係る玩具における１の種類のピース１の背面図。
【図７Ｃ】第１変形例に係る玩具における１の種類のピース１の上面図。
【図７Ｄ】第１変形例に係る玩具における１の種類のピース１の底面図。
【図７Ｅ】第１変形例に係る玩具における１の種類のピース１の左側面図。
【図７Ｆ】第１変形例に係る玩具における１の種類のピース１の右側面図。
【図８Ａ】第１変形例に係る玩具における１つの種類のピース１の正面図。
【図８Ｂ】第１変形例に係る玩具における１の種類のピース１の背面図。
【図８Ｃ】第１変形例に係る玩具における１の種類のピース１の上面図。
【図８Ｄ】第１変形例に係る玩具における１の種類のピース１の底面図。
【図８Ｅ】第１変形例に係る玩具における１の種類のピース１の左側面図。
【図８Ｆ】第１変形例に係る玩具における１の種類のピース１の右側面図。
【図９】図７Ａ〜図７Ｆに示すピースの端面図。
【図１０Ａ】オス部およびメス部の拡大断面図。
【図１０Ｂ】オス部およびメス部の拡大断面図。
【図１１Ａ】第２変形例に係る玩具における１つの種類のピース１の正面図。
【図１１Ｂ】第２変形例に係る玩具における１の種類のピース１の背面図。
【図１１Ｃ】第２変形例に係る玩具における１の種類のピース１の上面図。
【図１１Ｄ】第２変形例に係る玩具における１の種類のピース１の底面図。
【図１１Ｅ】第２変形例に係る玩具における１の種類のピース１の左側面図。
【図１１Ｆ】第２変形例に係る玩具における１の種類のピース１の右側面図。
【図１２Ａ】第２変形例に係る玩具における１つの種類のピース１の正面図。
【図１２Ｂ】第２変形例に係る玩具における１の種類のピース１の背面図。
【図１２Ｃ】第２変形例に係る玩具における１の種類のピース１の上面図。
【図１２Ｄ】第２変形例に係る玩具における１の種類のピース１の底面図。
【図１２Ｅ】第２変形例に係る玩具における１の種類のピース１の左側面図。
【図１２Ｆ】第２変形例に係る玩具における１の種類のピース１の右側面図。
【図１３Ａ】第３変形例に係る玩具における１つの種類のピース１の正面図。
【図１３Ｂ】第３変形例に係る玩具における１の種類のピース１の背面図。
【図１３Ｃ】第３変形例に係る玩具における１の種類のピース１の上面図。
【図１３Ｄ】第３変形例に係る玩具における１の種類のピース１の底面図。
【図１３Ｅ】第３変形例に係る玩具における１の種類のピース１の左側面図。
【図１３Ｆ】第３変形例に係る玩具における１の種類のピース１の右側面図。
【図１４Ａ】第３変形例に係る玩具における１つの種類のピース１の正面図。
【図１４Ｂ】第３変形例に係る玩具における１の種類のピース１の背面図。
【図１４Ｃ】第３変形例に係る玩具における１の種類のピース１の上面図。
【図１４Ｄ】第３変形例に係る玩具における１の種類のピース１の底面図。
【図１４Ｅ】第３変形例に係る玩具における１の種類のピース１の左側面図。
【図１４Ｆ】第３変形例に係る玩具における１の種類のピース１の右側面図。
【図１５Ａ】第４変形例に係る玩具における１つの種類のピース１の正面図。
【図１５Ｂ】第４変形例に係る玩具における１の種類のピース１の背面図。
【図１５Ｃ】第４変形例に係る玩具における１の種類のピース１の上面図。
【図１５Ｄ】第４変形例に係る玩具における１の種類のピース１の底面図。
【図１５Ｅ】第４変形例に係る玩具における１の種類のピース１の左側面図。
【図１５Ｆ】第４変形例に係る玩具における１の種類のピース１の右側面図。
【図１６Ａ】第４変形例に係る玩具における１つの種類のピース１の正面図。
【図１６Ｂ】第４変形例に係る玩具における１の種類のピース１の背面図。
【図１６Ｃ】第４変形例に係る玩具における１の種類のピース１の上面図。
【図１６Ｄ】第４変形例に係る玩具における１の種類のピース１の底面図。
【図１６Ｅ】第４変形例に係る玩具における１の種類のピース１の左側面図。
【図１６Ｆ】第４変形例に係る玩具における１の種類のピース１の右側面図。
【図１７Ａ】第５変形例に係る玩具における１つの種類のピース１の正面図。
【図１７Ｂ】第５変形例に係る玩具における１の種類のピース１の背面図。
【図１７Ｃ】第５変形例に係る玩具における１の種類のピース１の上面図。
【図１７Ｄ】第５変形例に係る玩具における１の種類のピース１の底面図。
【図１７Ｅ】第５変形例に係る玩具における１の種類のピース１の左側面図。
【図１７Ｆ】第５変形例に係る玩具における１の種類のピース１の右側面図。
【図１８Ａ】第５変形例に係る玩具における１つの種類のピース１の正面図。
【図１８Ｂ】第５変形例に係る玩具における１の種類のピース１の背面図。
【図１８Ｃ】第５変形例に係る玩具における１の種類のピース１の上面図。
【図１８Ｄ】第５変形例に係る玩具における１の種類のピース１の底面図。
【図１８Ｅ】第５変形例に係る玩具における１の種類のピース１の左側面図。
【図１８Ｆ】第５変形例に係る玩具における１の種類のピース１の右側面図。
【発明を実施するための形態】
【００１４】
一実施形態に係る玩具は複数のピースを含んでおり、ピースどうしを着脱して遊ぶことができる。ピースは２種類以上あるのが望ましい。以下、図面を参照しながら具体的に説明する。
【００１５】
図１Ａ〜図１Ｆは、玩具における１つの種類のピース１の六面図であり、順に正面図（表面から見た図）、背面図（裏面から見た図）、上面図、底面図、左側面図および右側面図である。また、図１Ｇは、図１ＡにおけるＡ−Ａ端面図である。ピース１は、カード本体１１と、オス部１２ａ，１２ｂと、メス部１３ａ，１３ｂと、蓋部１４ａ，１４ｂ，１５ａ，１５ｂとを備えている。
【００１６】
カード本体１１は角が丸みを帯びた概略長方形であって可撓性を有する。一例として、カード本体１１はプラスチックや紙製のトランプ（プレイングカード）であり、表面にはスート（ダイヤ、スペード、ハードまたはクラブの記号）とランク（Ａ，２〜１０，Ｊ，Ｑ，Ｋのいずれか）が描かれ、裏面には任意の模様が描かれ、これによって表面と裏面とが区別可能となっているのが望ましい（図２Ａおよび図２Ｂ参照）が、表面および裏面とも無地あるいは共通の模様等であっても構わない。
【００１７】
図１Ｂに示すように、カード本体１１の裏面から見て右上の頂点と、これと対角線上にある左下の頂点の近傍にそれぞれオス部１２ａ，１２ｂがそれぞれ設けられる。図１Ｇに示すように、オス部１２ｂは、底面がカード本体１１の裏面と対向する（あるいは、接する）土台部１２１ｂと、その中央から突出した円筒部１２２ｂとから構成される部材であってよい。オス部１２ａも同様である。オス部１２ａ，１２ｂはできるだけカード本体１１の隅にあるのがよいが、カード本体１１からはみ出ないのが望ましい。
【００１８】
カード本体１１の表面において各オス部１２ａ，１２ｂと対向する位置には蓋部１４ａ，１４ｂがそれぞれ設けられる（図１Ａおよび図１Ｇ）。すなわち、オス部１２ａ，１２ｂと蓋部１４ａ，１４ｂとでカード本体１１を挟み込んでいる。より詳しくは、図には表れないが、カード本体１１の各頂点近傍に孔が形成されており、この孔をオス部１２ａ，１２ｂまたは蓋部１４ａ，１４ｂの一部が貫通し、裏面におけるオス部１２ａ，１２ｂと表面における蓋部１４ａ，１４ｂとがそれぞれ一体化されている。一例として、スナップボタンをオス部１２ａ，１２ｂおよび蓋部１４ａ，１４ｂとして用いることができる。
なお、蓋部１４ａ，１４ｂが設けられるため、カード本体１１に形成された孔は視認されない。
【００１９】
図１Ａに示すように、カード本体１１の表面から見て右上の頂点と、これと対角線上にある左下の頂点の近傍にそれぞれメス部１３ａ，１３ｂがそれぞれ設けられる。図１Ｇに示すように、メス部１３ｂは、底面がカード本体１１の表面と対向する（あるいは、接する）土台部１３１ｂと、その中央から突出した円筒部１３２ｂとから構成される部材であってよい。メス部１３ａも同様である。メス部１３ａ，１３ｂはできるだけカード本体１１の隅にあるのがよいが、カード本体１１からはみ出さないのが望ましい。
【００２０】
カード本体１１の裏面において各メス部１３ａ，１３ｂと対向する位置には蓋部１５ａ，１５ｂがそれぞれ設けられる（図１Ｂ）。すなわち、メス部１３ａ，１３ｂと蓋部１５ａ，１５ｂとでカード本体１１を挟み込んでいる。より詳しくは、オス部１２ａ，１２ｂと同様に、カード本体１１の頂点近傍に形成された孔をメス部１３ａ，１３ｂまたは蓋部１５ａ，１５ｂの一部が貫通し、表面におけるメス部１３ａ，１３ｂと裏面における蓋部１５ａ，１５ｂとがそれぞれ一体化されている。やはりスナップボタンをメス部１３ａ，１３ｂおよび蓋部１５ａ，１５ｂとして用いることができる。
【００２１】
なお、蓋部１５ａ，１５ｂが設けられるため、カード本体１１に形成された孔は視認されない。また、メス部１３ａ，１３ｂとしてカード本体１１に孔を形成してもよいが、上述したように、メス部１３ａ，１３ｂと蓋部１５ａ，１５ｂとでカード本体１１を挟み込む構造とすることで、カード本体１１の強度を保てる。
【００２２】
蓋部１４ａ，１４ｂ，１５ａ，１５ｂの外観が共通していると、ピース組立時の見た目が美しくなって望ましい。また、オス部１２ａ，１２ｂおよびメス部１３ａ，１３ｂの位置が対称である（具体的には、オス部１２ａ，１２ｂおよびメス部１３ａ，１３ｂのカード本体１１の短辺までの距離が互いに等しく、かつ、オス部１２ａ，１２ｂおよびメス部１３ａ，１３ｂのカード本体１１の長辺までの距離が互いに等しい）のが望ましい。やはり、ピース組立時の見た目が美しくなるためである。
【００２３】
図３Ａ〜図３Ｆは、玩具における他の種類のピース２の六面図であり、順に正面図（表面から見た図）、背面図（裏面から見た図）、上面図、底面図、左側面図および右側面図である。図１〜１Ｆに示すピース１との違いはカード本体２１におけるオス部およびメス部の配置位置であり、その他は共通している。具体的にはカード本体２１の裏面（図３Ｂ）から見て左上および右下の頂点の近傍にそれぞれオス部２２ａ，２２ｂが設けられ、カード本体２１の表面（図３Ａ）から見て左上および右下の頂点の近傍にそれぞれメス部２３ａ，２３ｂが設けられる。なお、図１Ａ〜図１Ｆに示す種類のピース１と、図３Ａ〜図３Ｆに示す種類のピース２とで、互いに色が異なるオス部およびメス部を設けるなどによって、各ピース１，２がいずれの種類であるかを容易に認識できるようにしてもよい。
【００２４】
以上説明した玩具において、１つのピース１（２）における任意のメス部１３ａ，１３ｂ（２３ａ，２３ｂ）に対して、他のピース１（２）の任意のオス部１２ａ，１２ｂ（２２ａ，２２ｂ）を着脱可能に挿入できる。１つのピース１（２）のメス部１３ａ，１３ｂ（２３ａ，２３ｂ）に対して、カード本体１１（２１）の表面側からのみ他のピース１（２）のオス部１２ａ，１２ｂ（２２ａ，２２ｂ）を挿入でき、これによって２つのピース１（２）が連結される。
【００２５】
以下、オス部１２ｂとメス部１３ｂの着脱を例に取って詳しく説明する。
図４Ａおよび図４Ｂは、オス部１２ｂおよびメス部１３ｂの拡大断面図である。オス部１２ｂにおける円筒部１２２ｂの外径ａは、メス部１３ｂにおける円筒部１３２ｂの内径ｂよりやや大きい。
【００２６】
そのため、図４Ａに示すように、オス部１２ｂにおける円筒部１２２ｂの中心と、メス部１３ｂにおける円筒部１３２ｂの中心とが向かい合うよう位置合わせをした状態で、蓋部１４ｂおよび蓋部１５ｂに対して両者が互いに近づくように軽い力を加えることで、オス部１２ｂの円筒部１２２ｂがメス部１３ｂの円筒部１３２ｂの内側に挿入され、オス部１２ｂ側のピース１とメス部１３ｂ側のピース１とが連結、固定される（図４Ｂ）。
【００２７】
また、図４Ｂの状態で、蓋部１４ｂと蓋部１５ｂとが離れるように、カード本体１１に軽い力を加えることで、オス部１２ｂの円筒部１２２ｂがメス部１３ｂの円筒部１３２ｂから抜け、オス部１２ｂ側のピース１とメス部１３ｂ側のピース１とが外れる（図４Ａ）。
【００２８】
以上説明したように、ピース１に設けられた凸部（円筒部１２２ｂ）と、他のピース１に設けられた凹部（円筒部１３２ｂの内側）が係合する。なお、オス部およびメス部の構成は上述のものに限られず、ピースとピースとを着脱可能に固定できる構成であれば特に制限はない。
【００２９】
図５Ａおよび図５Ｂは、ピース１，２を組み合わせてできる作品例を示す図である。図示のように、カード本体１１，２１が可撓性を有する（たわむ）ことを利用して様々な立体形状や曲面を実現できる。特に、図１Ａ〜図１Ｆに示すピース１と、図３Ａ〜図３Ｆに示すピース２の２種類のピース１，２があることで、図５Ａに示すような作品の外面を全て裏面で統一することができ、美しい外観となる。
【００３０】
このように、本実施形態では、可撓性を有するカード本体１１にオス部１２ａ，１２ｂおよびメス部１３ａ，１３ｂを設ける。メス部１３ａ，１３ｂにオス部１２ａ，１２ｂを挿入することで様々な形状を実現でき、玩具として好適である。
【００３１】
なお、カード本体は必ずしも概略長方形でなくてもよく、任意の形状（例えば多角形）であってもよい。そして、カード本体の表面（の例えば少なくとも１つの頂点近傍）にオス部を設け、裏面（の例えば少なくとも１つの頂点近傍）にメス部を設けてもよい。また、オス部、メス部および蓋部の配置位置、形状、数にも特に制限はない。
【００３２】
図３Ａ〜図３Ｆに示すピース２のとりわけ独創的で特徴ある創作部分を実線で、他の部分を破線で描くとそれぞれ図６Ａ〜図６Ｆとなる。
【００３３】
また、上述したピースの変形例として、種々考えられる。図７Ａ〜図７Ｆは、第１変形例であるピースの六面図であり、順に正面図、背面図、上面図、底面図、左側面図および右側面図である。図７Ａ〜図７Ｆに示すピースのとりわけ独創的で特徴ある創作部分を実線で、他の部分を破線で描くとそれぞれ図８Ａ〜図８Ｆとなる。また、図９は、図７Ａ〜図７Ｆに示すピースの端面図であり、図１Ｇと対応している。さらに、図１０Ａおよび図１０Ｂは、オス部およびメス部の拡大断面図であり、図４Ａおよび図４Ｂとそれぞれ対応している。
【００３４】
図１１Ａ〜図１１Ｆは、第２変形例であるピースの六面図であり、順に正面図、背面図、上面図、底面図、左側面図および右側面図である。図１１Ａ〜図１１Ｆに示すピースのとりわけ独創的で特徴ある創作部分を実線で、他の部分を破線で描くとそれぞれ図１２Ａ〜図１２Ｆとなる。このように、カード本体はほぼ正方形でもよい。
【００３５】
図１３Ａ〜図１３Ｆは、第３変形例であるピースの六面図であり、順に正面図、背面図、上面図、底面図、左側面図および右側面図である。図１３Ａ〜図１３Ｆに示すピースのとりわけ独創的で特徴ある創作部分を実線で、他の部分を破線で描くとそれぞれ図１４Ａ〜図１４Ｆとなる。このように、カード本体はほぼ円形でもよい。この場合、表面におけるオス部と蓋部は、周方向に等間隔に配置されるのが望ましい。同様に、裏面におけるメス部と蓋部は、周方向に等間隔に配置されるのが望ましい。
【００３６】
図１５Ａ〜図１５Ｆは、第４変形例であるピースの六面図であり、順に正面図、背面図、上面図、底面図、左側面図および右側面図である。図１５Ａ〜図１５Ｆに示すピースのとりわけ独創的で特徴ある創作部分を実線で、他の部分を破線で描くとそれぞれ図１６Ａ〜図１６Ｆとなる。このように、カード本体は六角形でもよい。この場合、表面の各頂点近傍に１つとびでオス部および蓋部を３つずつ配置し、裏面の各頂点近傍に１つずつとびとびでメス部および蓋部を配置してもよい。
【００３７】
図１７Ａ〜図１７Ｆは、第５変形例であるピースの六面図であり、順に正面図、背面図、上面図、底面図、左側面図および右側面図である。図１７Ａ〜図１７Ｆに示すピースのとりわけ独創的で特徴ある創作部分を実線で、他の部分を破線で描くとそれぞれ図１８Ａ〜図１８Ｆとなる。このように、カード本体をほぼ円形とし、表面におけるオス部と蓋部を、周方向に１つとびで等間隔に３つずつ配置してもよい。同様に、裏面におけるメス部と蓋部を、周方向に１つとびで等間隔に配置してもよい。
【００３８】
なお、いずれの場合でも、オス部の反対側（裏面側）に蓋部が配置され、メス部の反対側（表面側）にオス部が配置されるのがよい。
【００３９】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００４０】
１，２  ピース
１１，２１  カード本体
１２ａ，１２ｂ，２１ａ，２１ｂ  オス部
１２１ｂ  土台部
１２２ｂ  円筒部
１３ａ，１３ｂ，２３ａ，２３ｂ  メス部
１３１ｂ  土台部
１３２ｂ  円筒部
１４ａ，１４ｂ，１５ａ，１５ｂ  蓋部
【図１Ａ】
2019058443.tif 000003
【図１Ｂ】
2019058443.tif 000004
【図１Ｃ】
2019058443.tif 000005
【図１Ｄ】
2019058443.tif 000006
【図１Ｅ】
2019058443.tif 000007
【図１Ｆ】
2019058443.tif 000008
【図１Ｇ】
2019058443.tif 000009
【図２Ａ】
2019058443.tif 000010
【図２Ｂ】
2019058443.tif 000011
【図３Ａ】
2019058443.tif 000012
【図３Ｂ】
2019058443.tif 000013
【図３Ｃ】
2019058443.tif 000014
【図３Ｄ】
2019058443.tif 000015
【図３Ｅ】
2019058443.tif 000016
【図３Ｆ】
2019058443.tif 000017
【図４Ａ】
2019058443.tif 000018
【図４Ｂ】
2019058443.tif 000019
【図５Ａ】
2019058443.tif 000020
【図５Ｂ】
2019058443.tif 000021
【図６Ａ】
2019058443.tif 000022
【図６Ｂ】
2019058443.tif 000023
【図６Ｃ】
2019058443.tif 000024
【図６Ｄ】
2019058443.tif 000025
【図６Ｅ】
2019058443.tif 000026
【図６Ｆ】
2019058443.tif 000027
【図７Ａ】
2019058443.tif 000028
【図７Ｂ】
2019058443.tif 000029
【図７Ｃ】
2019058443.tif 000030
【図７Ｄ】
2019058443.tif 000031
【図７Ｅ】
2019058443.tif 000032
【図７Ｆ】
2019058443.tif 000033
【図８Ａ】
2019058443.tif 000034
【図８Ｂ】
2019058443.tif 000035
【図８Ｃ】
2019058443.tif 000036
【図８Ｄ】
2019058443.tif 000037
【図８Ｅ】
2019058443.tif 000038
【図８Ｆ】
2019058443.tif 000039
【図９】
2019058443.tif 000040
【図１０Ａ】
2019058443.tif 000041
【図１０Ｂ】
2019058443.tif 000042
【図１１Ａ】
2019058443.tif 000043
【図１１Ｂ】
2019058443.tif 000044
【図１１Ｃ】
2019058443.tif 000045
【図１１Ｄ】
2019058443.tif 000046
【図１１Ｅ】
2019058443.tif 000047
【図１１Ｆ】
2019058443.tif 000048
【図１２Ａ】
2019058443.tif 000049
【図１２Ｂ】
2019058443.tif 000050
【図１２Ｃ】
2019058443.tif 000051
【図１２Ｄ】
2019058443.tif 000052
【図１２Ｅ】
2019058443.tif 000053
【図１２Ｆ】
2019058443.tif 000054
【図１３Ａ】
2019058443.tif 000055
【図１３Ｂ】
2019058443.tif 000056
【図１３Ｃ】
2019058443.tif 000057
【図１３Ｄ】
2019058443.tif 000058
【図１３Ｅ】
2019058443.tif 000059
【図１３Ｆ】
2019058443.tif 000060
【図１４Ａ】
2019058443.tif 000061
【図１４Ｂ】
2019058443.tif 000062
【図１４Ｃ】
2019058443.tif 000063
【図１４Ｄ】
2019058443.tif 000064
【図１４Ｅ】
2019058443.tif 000065
【図１４Ｆ】
2019058443.tif 000066
【図１５Ａ】
2019058443.tif 000067
【図１５Ｂ】
2019058443.tif 000068
【図１５Ｃ】
2019058443.tif 000069
【図１５Ｄ】
2019058443.tif 000070
【図１５Ｅ】
2019058443.tif 000071
【図１５Ｆ】
2019058443.tif 000072
【図１６Ａ】
2019058443.tif 000073
【図１６Ｂ】
2019058443.tif 000074
【図１６Ｃ】
2019058443.tif 000075
【図１６Ｄ】
2019058443.tif 000076
【図１６Ｅ】
2019058443.tif 000077
【図１６Ｆ】
2019058443.tif 000078
【図１７Ａ】
2019058443.tif 000079
【図１７Ｂ】
2019058443.tif 000080
【図１７Ｃ】
2019058443.tif 000081
【図１７Ｄ】
2019058443.tif 000082
【図１７Ｅ】
2019058443.tif 000083
【図１７Ｆ】
2019058443.tif 000084
【図１８Ａ】
2019058443.tif 000085
【図１８Ｂ】
2019058443.tif 000086
【図１８Ｃ】
2019058443.tif 000087
【図１８Ｄ】
2019058443.tif 000088
【図１８Ｅ】
2019058443.tif 000089
【図１８Ｆ】
2019058443.tif 000090